(57)【特許請求の範囲】
【請求項１】
糊液槽に貯留された糊液中に糊付けロールの一部が浸漬され、該糊付けロールに付着した糊液をドクターロールによって設定膜厚に調整した後、該糊液を段ボールシートを構成する紙ウェブに転写するようにした段ボール製造装置の糊付方法において、
ドクターロールの上流側で、糊付けロールに付着した糊液のうち、紙ウェブの紙端を含み紙端より内側領域に糊液が転写される事前均し領域を設定し、該事前均し領域を前記設定膜厚より大きい均し膜厚に調整する事前均しステップと、
該事前均しステップの下流側で、事前均し領域のうち、紙ウェブの紙端を含み紙端から内側領域に、設定膜厚と均し膜厚との差から推定される推定はみ出し幅以上の糊液除去領域を設定し、該糊液除去領域から糊液を除去する糊液除去ステップと、
該糊液除去ステップの後で、ドクターロールによって糊付けロール上の糊液を設定膜厚に調整する糊膜厚調整ステップと、からなり、
前記均し膜厚を前記設定膜厚より大きい一定値とし、該設定膜厚に応じて前記糊液除去領域を調整して、糊液の紙ウェブへの転写後に糊液が紙ウェブの紙端からはみ出すのを防止するようにしたことを特徴とする段ボール製造装置の糊付方法。
【請求項２】
段ボール製造装置がシングルフェーサであり、前記紙ウェブが中芯であることを特徴とする請求項１に記載の段ボール製造装置の糊付方法。
【請求項３】
段ボール製造装置がダブルフェーサであり、前記紙ウェブが片段ボールシートであることを特徴とする請求項１に記載の段ボール製造装置の糊付方法。
【請求項４】
糊液を貯留した糊液槽と、該糊液に一部が浸漬されて表面に糊液が付着される糊付けロールと、該糊付けロールに付着した糊液を設定膜厚に調整するドクターロールと、を備え、
設定膜厚に調整された糊付けロール上の糊液を段ボールシートを構成する紙ウェブに転写するようにした段ボール製造装置の糊付装置において、
前記ドクターロールの上流側で、前記糊付けロールに付着した糊液のうち、紙ウェブの紙端を含み紙端より内側領域に糊液が転写される事前均し領域を前記設定膜厚より大きい均し膜厚に調整する堰板と、
該堰板の下流側でかつドクターロールの上流側で、前記事前均し領域のうち、紙ウェブの紙端を含み紙端から内側領域に、前記設定膜厚と均し膜厚との差から推定される推定はみ出し幅以上となるように設定された糊液除去領域から糊液を除去するスクレーパと、を備え、
前記均し膜厚を前記設定膜厚より大きい一定値とし、該設定膜厚が入力され、該設定膜厚に応じて前記糊液除去領域を調整し、糊液の紙ウェブへの転写後に糊液が紙ウェブの紙端からはみ出さない範囲に調整するコントローラを備えたことを特徴とする段ボール製造装置の糊付装置。
【請求項５】
前記スクレーパが弾性体で構成されると共に、該スクレーパの先端が糊付けロールの接線方向に対して迎え角を有するように配置され、糊付けロール表面に対して線接触するものであることを特徴とする請求項４に記載の段ボール製造装置の糊付装置。
【発明の詳細な説明】
【技術分野】
【０００１】
本発明は、段ボールシートを製造する段ボール製造装置を構成するシングルフェーサやダブルフェーサにおいて、段ボールシートを構成する中芯や片面段ボールシートの段頂部に糊液を付着させる糊付方法及び糊付装置に関する。
【背景技術】
【０００２】
シングルフェーサでは、段山成形された中芯を裏ライナと貼り合せるため、中芯の段頂部に糊液を塗布するための糊付装置が用いられる。ダブルフェーサでは、中芯と裏ライナとが貼り合わされた片面段ボールシートと表ライナとを貼り合せるため、片面段ボールシートの段頂部に糊液を塗布するための糊付装置が用いられる。
【０００３】
これらの糊付装置では、糊液槽に貯留された糊液を糊付けロールに付着させ、この糊付けロールに付着した糊液をドクターロールによって設定膜厚に調整した後、糊付けロール上の該糊液を中芯や片面段ボールシートの段頂部に転写するようにしている。
糊液槽には糊液の糊付けロールへの塗布幅を規制する糊ダムが設けられている。糊液の塗布幅は中芯や片面段ボールシート等の紙ウェブの紙幅に合わせる必要がある。紙ウェブの種類は頻繁に変わるので、それに伴って紙幅も変化する。そのため、この糊ダムを糊付けロールの長手軸方向に可動できるように構成して、糊付けロールに付着させる糊液の糊付幅を調整可能にした構成が特許文献１及び特許文献２に開示されている。
【０００４】
また、特許文献３には、糊液が付着される紙ウェブの紙幅を検出し、可動の糊ダムをこの紙幅に合わせた位置に自動的に位置決めする手段が開示されている。
また、特許文献４に開示された糊付装置は、糊付けロールに付着した糊液の膜厚をドクターブレードで調整した後、延展舌状片で糊膜を均し、均した糊膜を紙ウェブに塗布するようにしている。
【先行技術文献】
【特許文献】
【０００５】
【特許文献１】特開２００３−２４５９８８号公報
【特許文献２】特開２００６−６９０９５号公報
【特許文献３】特開２０００−２５４９８７号公報
【特許文献４】特開平１０−１８０９０８号公報
【発明の概要】
【発明が解決しようとする課題】
【０００６】
図４は、ダブルフェーサの糊付装置において、糊付けロールの左側紙端付近の領域を示し、糊付けロールに付着した糊液の分布を上方に展開して示している。図４において、糊付装置１００に、糊液ｇを貯留した糊液槽１０２と、下部が糊液ｇに浸漬された糊付けロール１０４と、該糊付けロール１０４に対して糊膜厚分に相当する微小間隔をもって、ドクターロール１０８が糊付けロール１０４と平行に設けられている。糊付けロール１０４及びドクターロール１０８は、これらの回転軸１０６又は１１０を中心に、夫々矢印方向に回転する。
【０００７】
糊液ｇが糊付けロール１０４とドクターロール１０８とのニップ間を通過するときに、設定膜厚に調整される。糊付けロール１０４には、軸線方向（矢印ａ方向）の糊液ｇの塗布幅を規制する糊ダム１１２が設けられている。糊ダム１１２は矢印ａ方向に可動であり、図示を省略した紙ウェブの右側紙端領域に、もう１個の糊ダムが設けられている。糊ダム１１２間に糊液ｇが貯留され、糊液ｇの液面ｇｓが形成されている。糊付けロール１０４が回転することによって、糊付けロール１０４の外周面には、糊液槽１０２に貯留された糊液ｇが付着され、糊膜ｇｆを形成する。
【０００８】
糊ダムは、糊付けロールの表面に低い面圧で接触しているため、糊膜を十分に掻き取れず、糊ダムの接触領域に薄い糊膜が残る。この糊膜が糊付けロールとドクターロールとの隙間を通過して紙ウェブに転写されるという問題がある。
【０００９】
糊付けロール１０４が糊液槽１０２に貯留した糊液ｇ中を通過して糊付けロール１０４に付着した糊膜ｇｆは、糊付けロール１０４とドクターロール１０８との間の間隔より大きい。また、糊膜ｇｆの表面は自由表面であると共に、糊液ｇの粘度（温度によって異なる。）及び糊付けロール１０４の周速度等によって異なる膜厚となる。
【００１０】
そのため、図４に示すように、糊ダム１１２によって規制される糊膜ｇｆの糊端ｔ１が、紙ウェブの紙端ｗに対して寸法ｍだけ内側に設定されている場合でも、ドクターロール１０８を通過した後、糊液ｇは糊端ｔ２の位置まで外側にはみ出てくる。このはみ出し幅ｂは、前述のように、糊膜厚がそのときの条件によって異なり、かつ自由表面を形成しているため、予測がつかない。
【００１１】
糊液ｇが紙端ｗからはみ出すと、シングルフェーサでは、糊液ｇが紙ウェブの裏側に回り込み、段ロールに付着する。段ロールに糊液ｇが付着すると、固化して段成形が不良になるという問題がある。
また、片面段ボールシートがダブルフェーサの熱板上を走行する時、紙端ｗからはみ出した糊液ｇが熱板に付着し、熱板上で固化するため、後から走行してくる片面段ボールシートを傷付けるという問題がある。
【００１２】
特許文献３には、可動糊ダムの自動位置決め手段が開示されているが、こうした手段も前記の問題を解決して、精度が良い糊液の塗布幅を規制できなければ、その効果は半減してしまう。また、特許文献４に開示された手段、即ち、ドクターブレードの下流側に糊膜均し用の延展舌状片を設けた構成では、こうした問題を解決できない。
【００１３】
本発明は、かかる従来技術の課題に鑑み、糊液のはみ出し幅を正確に予測できるようにして、紙端と糊端の位置合わせを容易にし、これによって、紙ウェブの紙端からの糊液のはみ出しを防止し、前記問題を解消することを目的とする。
【課題を解決するための手段】
【００１４】
かかる目的を達成するため、本発明の段ボール製造装置の糊付方法は、糊液槽に貯留された糊液中に糊付けロールの一部が浸漬され、該糊付けロールに付着した糊液をドクターロールによって設定膜厚に調整した後、該糊液を段ボールシートを構成する紙ウェブに転写するようにした段ボール製造装置の糊付方法において、ドクターロールの上流側で、糊付けロールに付着した糊液のうち、紙ウェブの紙端を含み紙端より内側領域に糊液が転写される事前均し領域を設定し、該事前均し領域を前記設定膜厚より大きい均し膜厚に調整する事前均しステップと、該事前均しステップの後で、事前均し領域のうち、紙ウェブの紙端を含み紙端から内側領域に、設定膜厚と均し膜厚との差から推定される推定はみ出し幅以上の糊液除去領域を設定し、該糊液除去領域から糊液を除去する糊液除去ステップと、該糊液除去ステップの下流側で、ドクターロールによって糊付けロール上の糊液を設定膜厚に調整する糊膜厚調整ステップと、からなり、均し膜厚を設定膜厚より大きい一定値とし、該設定膜厚に応じて糊液除去領域を調整して、糊液の紙ウェブへの転写後に糊液が紙ウェブの紙端からはみ出すのを防止するようにしたものである。
【００１５】
本発明方法では、ドクターロールの上流側で、前記事前均しステップを行なうことにより、ドクターロール通過後の糊液の紙端からのはみ出し幅を容易に予測できるようになる。
そして、糊液除去ステップで、糊液の紙端からはみ出し幅を予測し、該はみ出し幅以上の糊液除去領域を設定し、該糊液除去領域から糊液を除去することにより、ドクターロールを通過した後の糊液の紙端からのはみ出しを確実に防止できる。
【００１６】
このように、本発明方法では、糊付けロール上の糊膜がドクターロールを通過する前の段階で、事前均しステップと糊除去ステップとを組み合わせて行なうことにより、紙端からの糊液のはみ出しを確実に防止できる。これによって、前記問題点を解消できる。
【００１７】
本発明方法では、均し膜厚を一定値とすることにより、設定膜厚とドクターロール通過の糊液のはみ出し幅とは、一義的な相関関係をもつようになる。そのため、設定膜厚に応じて、推定はみ出し領域を調整することにより、紙端からの糊液のはみ出しを確実に防止できる。
【００１８】
本発明方法は、中芯と裏ライナとを接合するシングルフェーサの糊付装置に適用できると共に、中芯と裏ライナとを接合した片面段ボールシートと表ライナとを接合するダブルフェーサの糊付装置にも適用できる。
【００１９】
また、前記本発明方法の実施に直接使用可能な本発明の段ボール製造装置の糊付装置は、糊液を貯留した糊液槽と、該糊液に一部が浸漬されて表面に糊液が付着される糊付けロールと、該糊付けロールに付着した糊液を設定膜厚に調整するドクターロールと、を備え、設定膜厚に調整された糊付けロール上の糊液を段ボールシートを構成する紙ウェブに転写するようにした段ボール製造装置の糊付装置において、ドクターロールの上流側で、糊付けロールに付着した糊液のうち、紙ウェブの紙端の紙端を含み紙端より内側領域に糊液が転写される事前均し領域を設定膜厚より大きい均し膜厚に調整する堰板と、該堰板の下流側でかつドクターロールの上流側で、事前均し領域のうち、紙ウェブの紙端を含み紙端から内側領域に、設定膜厚と均し膜厚との差から推定される推定はみ出し幅以上となるように設定された糊液除去領域から糊液を除去するスクレーパと、を備え、均し膜厚を設定膜厚より大きい一定値とし、該設定膜厚が入力され、糊液除去領域を調整して、糊液の紙ウェブへの転写後に糊液が紙ウェブの紙端からはみ出さない範囲に調整するコントローラを備えるようにしたものである。
【００２０】
本発明装置において、糊液槽で糊付けロールの表面に付着し自由表面を形成した糊液に対し、ドクターロールの上流側で、紙ウェブの紙端の紙端を含み紙端より内側領域に糊液が転写される事前均し領域を設定し、堰板を用いて、この事前均し領域を設定膜厚より大きい均し膜厚に調整する。これによって、ドクターロール通過後の糊液の紙端からのはみ出し幅を容易に予測できるようになる。そして、糊液の紙端からはみ出し幅を予測し、該はみ出し幅以上の糊液除去領域を設定し、該堰板の下流側でかつドクターロールの上流側に設けられたスクレーパで、該糊液除去領域から糊液を除去する。これによって、ドクターロールを通過した後の糊液の紙端からのはみ出しを確実に防止できる。
【００２１】
本発明装置において、均し膜厚を一定値とすることにより、設定膜厚とドクターロール通過の糊液のはみ出し幅とは、一義的な相関関係をもつようになる。そのため、設定膜厚に応じて、推定はみ出し領域を調整することにより、紙端からの糊液のはみ出しを確実に防止できる。
【００２２】
本発明装置において、前記スクレーパを弾性体で構成すると共に、スクレーパの先端が糊付けロールの接線方向に対して迎え角を有するように配置されると共に、糊付けロール表面に対して線接触する構成にするとよい。
スクレーパを弾性体とすることにより、糊付けロールに傷が付くのを防止できる。また、スクレーパを糊付けロールの接線方向に対して迎え角を有するように配置することにより、糊付けロール表面との接触を維持して、糊膜を確実に掻き取ることができる。
【発明の効果】
【００２３】
本発明方法によれば、糊液槽に貯留された糊液中に糊付けロールの一部が浸漬され、該糊付けロールに付着した糊液をドクターロールによって設定膜厚に調整した後、該糊液を段ボールシートを構成する紙ウェブに転写するようにした段ボール製造装置の糊付方法において、ドクターロールの上流側で、糊付けロールに付着した糊液のうち、紙ウェブの紙端を含み紙端より内側領域に糊液が転写される事前均し領域を設定し、事前均し領域を設定膜厚より大きい均し膜厚に調整する事前均しステップと、事前均しステップの後で、事前均し領域のうち、紙ウェブの紙端を含み紙端から内側領域に、設定膜厚と均し膜厚との差から推定される推定はみ出し幅以上の糊液除去領域を設定し、糊液除去領域から糊液を除去する糊液除去ステップと、糊液除去ステップの後で、ドクターロールによって糊付けロール上の糊液を設定膜厚に調整する糊膜厚調整ステップと、からなることにより、ドクターロールを通過した後の糊液の紙端からのはみ出しを確実に防止でき、これによって、糊液がシングルフェーサの段ロールに付着して中芯の段成形が不良になるのを防止できると共に、ダブルフェーサの熱板上に付着し固化した糊によって段ボールシートに傷が付くのを防止できる。
【００２４】
本発明装置によれば、糊液を貯留した糊液槽と、該糊液に一部が浸漬されて表面に糊液が付着される糊付けロールと、該糊付けロールに付着した糊液を設定膜厚に調整するドクターロールと、を備え、設定膜厚に調整された糊付けロール上の糊液を段ボールシートを構成する紙ウェブに転写するようにした段ボール製造装置の糊付装置において、ドクターロールの上流側で、糊付けロールに付着した糊液のうち、紙ウェブの紙端の紙端を含み紙端より内側領域に糊液が転写される事前均し領域を前記設定膜厚より大きい均し膜厚に調整する堰板と、該堰板の下流側でかつドクターロールの上流側で、事前均し領域のうち、紙ウェブの紙端を含み紙端から内側領域に、設定膜厚と均し膜厚との差から推定される推定はみ出し幅以上となるように設定された糊液除去領域から糊液を除去するスクレーパと、を備えたことにより、前記本発明方法と同様の作用効果を得ることができる。
【図面の簡単な説明】
【００２５】
【図１】本発明方法及び装置の一実施形態に係るダブルフェーサの糊付装置の構成図である。
【図２】前記実施形態の糊ダム、堰板及び弾性スクレーパの配置図である。
【図３】（Ａ）は本発明の弾性スクレーパの構成図であり、（Ｂ）は比較例としての弾性スクレーパの構成図である。
【図４】ドクターロール通過後の糊付けロール上の糊液のはみ出し幅を示す説明図である。
【発明を実施するための形態】
【００２６】
以下、本発明を図に示した実施形態を用いて詳細に説明する。但し、この実施形態に記載されている構成部品の寸法、材質、形状、その相対配置などは特に特定的な記載がない限り、この発明の範囲をそれのみに限定する趣旨ではない。
【００２７】
本発明をダブルフェーサの糊付装置に適用した一実施形態を図１〜図３により説明する。図１及び図２において、本実施形態の糊付装置１０は、糊液槽１２に澱粉糊からなる糊液ｇが貯留され、糊付けロール１４の一部が糊液ｇに浸漬されている。糊付けロール１４は回転軸１６を中心に矢印方向に回転する。糊付けロール１４の下方には、一対の固定式の糊ダム１８ａ及び１８ｂが設けられ、この糊ダムによって糊付けロール１４の長手軸方向の糊液付着領域を規制している。
【００２８】
糊付けロール１４に付着した糊膜の膜厚を規制するドクターロール２０が糊付けロール１４に対設され、矢印方向に回転する。糊付けロール１４とドクターロール２０とは、これらの軸線が互いに平行に配置されている。一方、糊付けロール１４にはライダロール２２が対設されている。糊付けロール１４とライダロール２２とは、夫々矢印方向に回転し、これらのロール間を通る片面段ボールシートｋを矢印方向に送ると共に、片面段ボールシートｋの段頂部に糊液ｇを塗布する。
【００２９】
糊付けロール１４とドクターロール２０との間には、間隔δ１が設けられ、糊液ｇがこの間隔δ１を通ることによって、糊付けロール１４の外周面に膜厚δ１の均一な糊膜が形成される。そして、片面段ボールシートｋの段頂部に該膜厚に応じた糊液量が塗布される。ドクターロール２０は、偏心カム機構２４により糊付けロール１４に対して進退可能になっている。これによって、間隔δ１を調整できる。
【００３０】
また、段ボール製造装置の運転全般を管理する生産管理装置２５が設けられている。この生産管理装置２５が後述する基台４２の駆動機構２６を制御して、基台４２の軸方向（図２の矢印ａ方向）位置を制御し、かつ偏心カム機構２４を制御して、間隔δ１を調整する。
【００３１】
ドクターロール２０にはドクターブレード２８が対設されている。ドクターブレード２８は、糊付けロール１４とのニップ部で付着したドクターロール表面の糊液を掻き落して、この糊液が糊付けロール１４とドクターロール２０とのニップ部に回り込むのを防止する役目をもつ。ドクターブレード２８は基台３０に固定されている。基台３０は支持フレーム３２に回転中心Ｏを中心に回動可能に装着されている。支持フレーム３２と基台３０との間にはコイルバネ３４が架設され、これによって、ドクターブレード２８がドクターロール２０の外周面に設定された弾性力をもって押圧されている。
【００３２】
また、図２に示すように、糊液ｇの液面の上方で、かつドクターロール２０より回転方向上流側に、一対の堰板３８ａ及び３８ｂが、糊付けロール１４の軸線方向に直列に配置されている。また、堰板３８ａ、３８ｂの回転方向下流側でかつドクターロール２０の上流側に、一対の弾性スクレーパ４０ａ及び４０ｂが、糊付けロール１４の軸線方向に直列に配置されている。堰板３８ａ、３８ｂは、基台４２に固定されている。基台４２にはアーム４４が支軸４６を中心に回動可能に装着されている。
【００３３】
アーム４４の先端に弾性スクレーパ４０ａ、４０ｂが固定され、アーム４４の他端はコイルバネ４８を介して基台４２に支持されている。こうして、弾性スクレーパ４０ａ、４０ｂは、コイルバネ４８の弾性力によって糊付けロール１４の表面に軽い押圧力をもって押し付けられている。弾性スクレーパ４０ａ、４０ｂの少なくとも先端は、糊付けロール１４の表面を傷付けないように、硬質ゴムやウレタン等の弾性体で構成されている。弾性スクレーパ４０ａ、４０ｂをウレタンで構成すると、特に糊付けロール上の糊膜をきれいに掻き取ることができる。
【００３４】
堰板３８ａ、３８ｂの材質は、硬質で剛性のものであればよく、例えば鋼製でもよい。特に、摩擦係数が小さいテフロン（登録商標）製であれば、糊液が付着しにくいので好都合である。堰板３８ａ、３８ｂと糊付けロール１４との間は、常に一定の間隔δ２に保持されている。間隔δ２は間隔δ１とは、δ１＜δ２の関係にある。ダブルフェーサの運転時、間隔δ１は、０．０５〜０．５ｍｍ（通常０．２〜０．３ｍｍ）であり、間隔δ２は最大でも１ｍｍ以下が望ましい。
【００３５】
堰板３８ａ、３８ｂと弾性スクレーパ４０ａ、４０ｂとは、共に基台４２に支持されている。そのため、堰板３８ａと弾性スクレーパ４０ａの軸方向相対位置は固定されている。基台４２は、駆動機構２６によって軸方向に移動可能になっているので、堰板３８ａと弾性スクレーパ４０ａとは、固定された相対位置を保ちながら軸方向に移動可能になっている。堰板３８ｂと弾性スクレーパ４０ｂも同様の固定された相対位置関係になっている。
【００３６】
かかる構成において、糊液槽１２に貯留された糊液ｇが糊付けロール１４の外周面に塗布される。糊付けロール１４に塗布された糊膜ｇｆは、堰板３８ａ、３８ｂを通過して、膜厚がδ２となる事前均しを施される。図２に示すように、堰板３８ａ、３８ｂによって事前均しを施される領域は、片面段ボールシートｋの紙端ｗの内側領域においては領域Ａ（ｍ＋Ｌ）である。領域ｍは、設定膜厚δ１と均し膜厚δ２との差によって推定される推定はみ出し領域であり、通常２〜４ｍｍである。領域Ｌは実際上最低１５ｍｍ必要であり、２５ｍｍ以上が望ましい。
【００３７】
堰板３８ａ、３８ｂを通過した糊膜ｇｆは、弾性スクレーパ４０ａ、４０ｂに到達し、弾性スクレーパ４０ａ、４０ｂによって糊膜ｇｆが掻き取られる。この糊液除去領域は、紙端ｗ及び紙端ｗの内側領域を含めた領域Ｂである。
なお、糊液除去領域Ｂは、推定はみ出し領域ｍ以上であって、かつ紙端ｗより内側までとする必要がある。
【００３８】
本実施形態では、均し膜厚δ２を一定値としているため、設定膜厚δ１とドクターロール通過後の糊液のはみ出し幅とは、一義的な相関関係をもつようになる。そのため、設定膜厚δ１に応じて、推定はみ出し領域ｍを調整するようにしている。
こうして、堰板３８ａ、３８ｂ及び弾性スクレーパ４０ａ、４０ｂを通過した糊膜ｇｆは、ドクターロール２０を通過することにより、膜厚δ１に調整され、その後、糊付けロール１４とライダロール２２とのニップ部で、片面段ボールシートｋの段頂部に糊液が塗布される。
【００３９】
図３（Ａ）に示すように、弾性スクレーパ４０ａ、４０ｂは、糊付けロール１４の接線ｓに対して迎え角αを有して糊付けロール１４の表面に接触している。これを本明細書では「線接触」という。これによって、糊付けロール１４に付着した糊膜ｇｆを実質的にすべて掻き取ることができる。なお、迎え角αは、３０°≦α≦６０°であることが好ましい。迎え角αをこの範囲とすることにより、糊膜ｇｆを略確実に除去できる。
【００４０】
図３（Ｂ）は、比較例としての弾性スクレーパ５０の構成を示す。この弾性スクレーパ５０は、糊付けロール１４との接触点Ｃで、糊付けロール１４の接線ｓに対して迎え角αが零である。そのため、接触点Ｃで糊膜ｇｆの面圧が矢印ｂ方向に発生し、弾性スクレーパ５０の先端部がこの面圧によって押されるため、接触点Ｃで糊膜ｇｆをすべて掻き取ることができない。
【００４１】
本実施形態によれば、ドクターロール２０の上流側で、堰板３８ａ、３８ｂによる事前均しステップを行なうことにより、ドクターロール通過後の糊液の紙端ｗからのはみ出し幅を容易に予測できるようになる。次に、糊液除去ステップで、糊液の紙端ｗから推定はみ出し幅ｍを推定し、該推定はみ出し領域ｍ以上の糊液除去領域Ｂを紙端ｗを含みかつ紙端ｗの内側まで設定し、弾性スクレーパ４０ａ、４０ｂにより、該糊液除去領域Ｂから糊膜ｇｆを除去することにより、ドクターロール２０を通過した後の糊液の紙端ｗからのはみ出しを確実に防止できる。
【００４２】
これによって、片面段ボールシートｋの紙端ｗから、糊液の紙端ｗからのはみ出しを解消できると共に、熱板への糊液の付着固化による段ボールシートの疵付きをなくすことができる。
また、均し膜厚δ２を設定膜厚δ１より大きい一定値とし、該設定膜厚δ１に応じて糊液除去領域Ｂを調整しているので、糊液のはみ出し防止のための制御機構を簡素化でき、低コストに防止できる。
【００４３】
前記実施形態では、糊付けロール１４の軸方向に分割して配置された一対の堰板３８ａ、３８ｂを用いたが、代わりに、糊付けロール１４の軸方向に全幅に亘って配置された１個の堰板を設けるようにしてもよい。
【００４４】
また、前記実施形態は、ダブルフェーサにおいて片面段ボールシートｋの段頂部に糊液を塗布する糊付装置に本発明を適用したものであるが、本発明は、ダブルフェーサで、表ライナに糊液を塗布する糊付装置や、シングルフェーサで中芯の段頂部に糊液を塗布する糊付装置にも適用できる。
【産業上の利用可能性】
【００４５】
本発明によれば、段ボール製造装置の糊付装置において、糊液の紙端からのはみ出しを確実に防止できるので、糊液のはみ出しによる段ボールシートの品質低下を無くすことができる。
【符号の説明】
【００４６】
１０，１００        糊付装置
１２，１０２        糊液槽
１４，１０４        糊付けロール
１６、１０６，１１０    回転軸
１８ａ、１８ｂ、１１２    糊ダム
２０，１０８                ドクターロール
２２                ライダロール
２４                偏心カム機構
２５                生産管理装置
２６                駆動装置
２８                ドクターブレード
３０，４２          基台
３２                支持フレーム
３４，４８          コイルバネ
３８ａ、３８ｂ      堰板
４０ａ、４０ｂ、５０    弾性スクレーパ
４４                アーム
４６                支軸
Ａ                  事前均し領域
Ｂ                  糊液除去領域
Ｃ                  接触点
ｍ                  推定はみ出し領域
ｇ                  糊液
ｇｆ                糊膜
ｇｓ                糊液面
ｋ                  片面段ボールシート
ｓ                  接線
ｔ１、ｔ２            糊端
ｗ                  紙端
【図１】
0005590941.tif 000002
【図２】
0005590941.tif 000003
【図３】
0005590941.tif 000004
【図４】
0005590941.tif 000005